(57)【要約】【課題】小規模の業務用浴槽に使用するのに好適な追い焚き装置において、熱交換器から離れて設置されて昇温熱源機を一体化して、熱損失を低減するとともに、施工の簡単化や構成の簡素化をはかる。【解決手段】通過する浴槽水１５の温度を上げる熱交換器３２を備えた追い焚き装置３１において、当該追い焚き装置３１に、熱交換器３２に対して浴槽水昇温のための熱源を供給する昇温熱源機３３を一体化する。昇温熱源機を、温水を沸かす湯沸かし器４５と、温水を熱交換器３２に循環させる昇温用ポンプ４６で構成して、これら湯沸かし器４５と昇温用ポンプ４６の駆動制御で熱交換器３２における浴槽水１５の昇温を行う。【選択図】図２
0003213072.tif 000002
【実用新案登録請求の範囲】
【請求項１】
通過する浴槽水の温度を上げる熱交換器を備えた追い焚き装置であって、
当該追い焚き装置に、前記熱交換器に対して浴槽水昇温のための熱源を供給する昇温熱源機を一体化した
追い焚き装置。
【請求項２】
前記昇温熱源機の駆動制御で前記熱交換器における浴槽水の昇温を行う
請求項１に記載の追い焚き装置。
【請求項３】
前記昇温熱源機が、温水を沸かす湯沸かし器と、温水を前記熱交換器に循環させる昇温用ポンプを備え、
前記熱交換器に供給される熱源が温水であり、
前記湯沸かし器と前記昇温用ポンプの駆動制御で前記熱交換器における浴槽水の昇温を行う
請求項１に記載の追い焚き装置。
【請求項４】
前記昇温熱源機が、前記熱交換器を備える本体部の筐体における外面に結合された
請求項１から請求項３のうちいずれか一項に記載の追い焚き装置。
【請求項５】
浴槽水が通過するヘアキャッチャーと、
前記ヘアキャッチャー内の浴槽水の温度を測る温度計と、
前記温度計の測定結果に基づいて前記湯沸かし器と前記昇温用ポンプを駆動制御する制御部を備えた
請求項１から請求項４のうちいずれか一項に記載の追い焚き装置。
【考案の詳細な説明】
【技術分野】
【０００１】
この考案は、例えば民宿や旅館、老人ホーム、デイサービスセンターなどのような業務用の浴槽における、風呂の温度管理に好適な追い焚き装置に関する。
【背景技術】
【０００２】
風呂の温度、つまり浴槽内の湯水（浴槽水）の温度を上げる熱交換器を備えた装置として、たとえば下記特許文献１に開示された風呂装置がある。この風呂装置は、濾過器を通る循環路に、深夜電力を利用して熱水を貯蔵する電気温水器からなる熱交換器を通る昇温流路を接続した構成である。循環路から昇温流路への分岐点には三方弁が備えられ、循環路における濾過器のすぐ下流位置には温度計が備えられている。
【０００３】
この風呂装置は浴槽内の湯水の温度を一定に保温するためのものであって、湯水を循環路に通して戻すか、昇温流路を経由させて浴槽に戻すかは、温度計による湯温の測定結果にもとづいた三方弁の切り替えで行われる。つまり、湯水の温度が設定温度より低くなると湯水を昇温流路に流して、浴槽に戻る湯水の温度を上げる。
【０００４】
しかし、電気温水器は厨房等へも給湯を行うものであり、通常、循環路から離れて備えられる。このため、熱損失が生じる上に配管工事費もかさむ。
【０００５】
前述のような電気温水器ではない熱交換器を備えた追い焚き装置もあった。この追い焚き装置は、ガスで温水を沸かす湯沸かし器を昇温熱源機として別途に備えて、昇温熱源機で沸かした温水を離れた場所にある追い焚き装置の熱交換器に循環させるとともに、追い焚き装置内では、湯温に基づいて三方弁を駆動制御して、熱交換を通さずに浴槽に戻す流れと、熱交換器を通して浴槽に戻す流れに流路を切り替えていた。
【０００６】
しかし、この場合は、昇温熱源機が追い焚き装置とは別体であるとともに、離れて設置されるので、特許文献１の構成と同様に、熱損失が生じる上に配管工事費もかさむ。
【０００７】
また、三方弁で流路を切り替えて昇温を行う構成であると、配管構成や制御が複雑になる上に、昇温熱源機の熱に無駄が生じ得る。
【先行技術文献】
【特許文献】
【０００８】
【特許文献１】実開平３−２０２３７号公報
【考案の概要】
【考案が解決しようとする課題】
【０００９】
この考案は、熱損失を低減できるとともに施工の簡単化や構成の簡素化をはかることを主な目的とする。
【課題を解決するための手段】
【００１０】
そのための手段は、通過する浴槽水の温度を上げる熱交換器を備えた追い焚き装置であって、当該追い炊き装置に、前記熱交換器に対して浴槽水昇温のための熱源を供給する昇温熱源機を一体化した追い焚き装置である。
【００１１】
この構成では、昇温熱源機が一体であるため熱交換器に対する距離が近く、設置は一回で行え、別途の配管工事も不要である。
【考案の効果】
【００１２】
この考案によれば、熱損失を低減できるとともに施工の簡単化や構成の簡素化をはかることができる。
【図面の簡単な説明】
【００１３】
【図１】追い焚き装置とこれを備えた浴場設備の斜視図。
【図２】浴場設備の全体構成図。
【図３】追い焚き装置の平面視での概略構成図。
【図４】他の例に係る追い焚き装置の構成図。
【考案を実施するための形態】
【００１４】
この考案を実施するための一形態を、以下図面を用いて説明する。  
図１に浴場設備１１の要部を示す。浴場設備１１は、浴槽１２と、浴槽１２を有し壁１３で囲まれた浴室空間１４と、壁１３の外に備えられて浴槽１２の中の湯水である浴槽水１５の追い焚きを行う追い焚き装置３１と、浴槽１２に浴槽水１５を供給する浴槽水供給装置１６と、浴槽１２内の水位を測る水位計１７を備えている。
【００１５】
この浴場設備１１は、浴槽水１５を毎回張り替えて運用するものであって、レジオネラ菌による衛生面での問題が生じないようにしている。浴槽１２の中の浴槽水１５は浴槽水供給装置１６を通して供給され、浴槽１２に入った浴槽水１５は、追い焚き装置３１を通って循環する。つまり浴槽水１５は、一端が浴槽１２に接続された吸い込み管１８から追い焚き装置３１に吸い込まれたのち、送り管１９を通って浴槽１２に戻る。このとき、浴槽水１５の温度が設定値よりも低くなると、追い焚き装置３１で追い焚きを行って浴槽水１５を加熱してから浴槽１２に戻す。
【００１６】
図２に、追い焚き装置３１と、これを含む浴場設備１１の全体構成図を示す。
【００１７】
浴槽１２には、前述の吸い込み管１８と送り管１９の一端が、浴槽水１５の循環を考慮して適切な位置に接続され、吸い込み管１８と送り管１９の他端は、追い焚き装置３１を設置する位置に向けて延設されている。
【００１８】
浴槽１２にはまた、浴槽水供給装置１６の先端で湯水を吐出する吐出口１６ａが備えられている。吐出口１６ａは、浴槽１２の縁の上端部などの適宜位置に取り付けられる。浴槽水供給装置１６は、湯と水を混合して適温水を作り浴槽１２に補給するものであって、湯を供給する給湯管１６ｂと、水を供給する給水管１６ｃと、これらの先で混合した湯と水を供給する適温水供給管１６ｄを備え、適温水供給管１６ｄの先に前述の吐出口１６ａが接続されている。
【００１９】
給湯管１６ｂと給水管１６ｃは、図１に示したように追い焚き装置３１を設置する領域などの適宜位置から延びており、給湯管１６ｂと給水管１６ｃの先端には、適温補給水ユニット１６ｅを介して適温水供給管１６ｄを接続している。適温補給水ユニット１６ｅは、ミキシングバルブ、逆止弁、ストレーナ、温度計などで構成された公知の構成である。
【００２０】
追い焚き装置３１は、通過する浴槽水１５の温度を上げる熱交換器３２を備えており、熱交換器３２に対して浴槽水昇温のための熱源を供給する昇温熱源機３３を一体化している。そして、昇温熱源機３３の駆動制御で熱交換器３２における浴槽水１５の昇温を行う。
【００２１】
熱交換器３２は、浴槽水１５を追い焚き装置３１に導いたのちに浴槽１２に戻す唯一の循環路の一部を構成する。すなわち、浴槽水１５が循環する循環路は、選択的に切り換えられる複数の流路を有するのではなく、ひとつの流路であり、流路選択のための切替弁を不要としている。
【００２２】
前述の「一体化」とは、熱交換器３２を備える本体部３４と昇温熱源機３３が１つのものとして扱える状態にすることであり、たとえ分離可能であっても、両者を１つのものとしてまとめることができる状態であればよい。また、本体部３４の外面に昇温熱源機３３が結合した構成であっても、本体部３４の中に昇温熱源機３３が組み込まれた構成であってもよい。
【００２３】
図２に示した例の追い焚き装置３１は、熱交換器３２が温水同士の間で熱交換をするものである。つまり、熱交換器３２に供給される熱源は温水である。また、この追い焚き装置３１は、図１、図２に示したように、昇温熱源機３３が、熱交換器３２を備える本体部３４の筐体３５における外面に結合された構成である。
【００２４】
本体部３４は、筐体３５の外側面に吸い込み管接続口３６と送り管接続口３７を備え、内部には、上流側から順に、浴槽水１５が通過するヘアキャッチャー３８と、浴槽水１５を循環させる循環ポンプ３９と、前述の熱交換器３２を備えている。このため、浴槽１２から、吸い込み管１８、吸い込み管接続口３６、ヘアキャッチャー３８、循環ポンプ３９、熱交換器３２、送り管接続口３７、送り管１９、浴槽１２と、浴槽水１５が循環する唯一の循環路が形成されることになる。
【００２５】
前述のヘアキャッチャー３８には、循環する浴槽水１５のうちヘアキャッチャー３８内の浴槽水１５の温度を測る温度計４１が備えられる。また本体部３４は、これらのほかに、制御部を搭載した制御盤４２を内蔵している。
【００２６】
図３は追い焚き装置３１の平面視での概略構成図であり、この図に示すように本体部３４の筐体３５における吸い込み管接続口３６と送り管接続口３７を備えた側面とは異なる側面に、開閉扉４３を備えている。開閉扉４３をあけると制御盤４２を操作できるとともに、ヘアキャッチャー３８のバスケット清掃が行える。
【００２７】
図３に示したように、本体部３４の筐体３５内には、前述のヘアキャッチャー３８と循環ポンプ３９と熱交換器３２と制御盤４２が、筐体３５内の上下左右の空間を有効に利用してコンパクトに収容される。ここで、吸い込み管接続口３６と送り管接続口３７は、熱交換器３２における温水を導入する導入管３２ａと温水を導出する導出管３２ｂを形成する方向と同じ側面３５ａに形成されている。
【００２８】
昇温熱源機３３は、本体部３４の筐体３５よりも小さく形成されており、その筐体３５における吸い込み管接続口３６と送り管接続口３７を形成した側面３５ａの外面に結合一体化されている。
【００２９】
この昇温熱源機３３の筐体４４内には、温水を沸かす湯沸かし器４５と、温水を熱交換器３２に循環させる昇温用ポンプ４６を備えており、これら湯沸かし器４５と昇温用ポンプ４６の駆動制御で熱交換器３２における浴槽水１５の昇温を行う。
【００３０】
湯沸かし器４５と昇温用ポンプ４６は昇温循環路４７で接続されており、昇温循環路４７における湯沸かし器４５と昇温用ポンプ４６の間には、温水の元となる水を供給するための給水管４８が接続されている。湯沸かし器４５は、例えばＬＰガスや天然ガスで燃焼するものとするとよい。
【００３１】
昇温循環路４７の上流端は、熱交換器３２の導出管３２ｂに接続され、下流端は熱交換器３２の導入管３２ａに接続される。これにより、湯沸かし器４５で加熱されてできた温水は、昇温用ポンプ４６の駆動で、導入管３２ａから熱交換器３２に入って熱交換器３２を通過し、導出管３２ｂを通って再び湯沸かし器４５で加熱されることになる。
【００３２】
昇温熱源機３３の湯沸かし器４５と昇温用ポンプ４６の駆動制御は、ヘアキャッチャー３８内の温度を測る温度計４１の測定結果に基づいて行われる。このため制御部を搭載した制御盤４２には、図２に示したように、温度計４１、湯沸かし器４５、昇温用ポンプ４６が接続される。このほかに、追い焚き以外の制御のために、適温補給水ユニット１６ｅや水位計１７、タイマ（図示せず）などの必要機器が接続されている。
【００３３】
制御盤４２の制御部は、図示しない操作盤からの設定に応じて、あらかじめ記憶されたプログラムに従って各部の動作を実行する。設定される事項としては、稼働時間や浴槽水温度、水位などがある。
【００３４】
制御部が行う追い焚き動作の例を以下に説明する。
【００３５】
適温補給水ユニット１６ｅと水位計１７を動作させて浴槽１２に所定量の湯（浴槽水１５）を張った後、制御部は循環ポンプ３９を駆動して、浴槽水１５を循環させる。つまり浴槽水１５は浴槽１２から、吸い込み管１８、吸い込み管接続口３６、ヘアキャッチャー３８、熱交換器３２、送り管接続口３７、送り管１９、浴槽１２と順に循環する。ヘアキャッチャー３８では、浴槽水１５の中の毛髪などが除去される。また、ヘアキャッチャー３８内において、温度計４１によって浴槽水１５の温度が計測される。この温度測定は、浴槽水がたまる空間のある部位で行うことになるので、管路において行う場合に比して、ムラのない測定が可能であり、精度の高く温度を測ることができる。
【００３６】
熱交換器３２では、浴槽水１５を通過させる。熱交換器３２に通過する浴槽水よりも高い温度の温水が供給されていれば、通過する浴槽水１５は加熱され、そうでなければ浴槽水１５は加熱されない。
【００３７】
循環ポンプ３９の駆動による循環中に、温度計４１があらかじめ設定された温度よりも低い値を計測した場合には、制御部は、湯沸かし器４５と昇温用ポンプ４６を駆動する。これらが駆動することで、即座に温水が生成され、その温水が導入管３２ａを通って熱交換器３２に供給される。
【００３８】
温水が供給されると熱交換器３２では、通過する浴槽水１５が加熱されて温度が上昇し、そのまま浴槽１２に戻されることになる。つまり浴槽水１５の追い焚きがなされる。
【００３９】
熱交換器３２から導出管３２ｂを通って出た温水は、湯沸かし器４５加熱されて、熱交換器３２において熱を浴槽水１５に供給する。
【００４０】
温度計４１で計測される浴槽水１５の温度が所定の温度になると、制御部は湯沸かし器４５と昇温用ポンプ４６を停止する。
【００４１】
また、水位計１７から所定の水位以下になった信号が入力されると制御部は、追い焚き中であるか否かに関わらず、適温補給水ユニット１６ｅを駆動して、水位計１７が所定の水位を示すまで足し湯をする。
【００４２】
以上のように構成された追い焚き装置３１では、前述のようにして追い焚きができるので浴槽水１５の温度を上げるための差し湯は必要ない。差し湯が不要であるので、水道代や燃料代を節約できる。
【００４３】
また、追い焚き装置３１は、熱交換器３２に対して浴槽水昇温のための熱源を供給する昇温熱源機３３を一体化した構成であるので、熱源と熱交換器３２が近く、熱源を熱交換器３２に対して直接的に供給できる。このため、熱損失を低減できる。また配管構成の簡素化や短縮化をはかることもできる。
【００４４】
そのうえ、追い焚き装置３１の設置は一回の作業で行え、別途の配管工事も不要であるため、施工の簡単化をはかることができる。
【００４５】
追い焚きは、唯一の循環路の一部を構成する熱交換器３２に通して行うので、例えば三方弁で流路の切り替えをする必要がない。このため、構成を簡素にできるうえにコンパクト化もはかれ、熱交換器３２での熱の無駄を低減できる。
【００４６】
また、昇温熱源機３３の駆動制御で熱交換器３２における浴槽水１５の昇温を行う、つまり湯沸かし器４５と昇温用ポンプ４６の駆動制御で熱交換器３２における浴槽水１５の昇温を行うので、流路の切り替えを行う場合に比べて即応性がよい。特に、前述のように熱源を熱交換器３２に直接的に供給できるので、即座に昇温できる。
【００４７】
昇温熱源機３３は、湯沸かし器４５と昇温用ポンプ４６を備えた構成であり、熱交換器３２に供給される熱源が温水であるので、簡素な構成とすることができるとともに、昇温能力が高い。
【００４８】
昇温熱源機３３は、本体部３４の筐体３５における外面に結合されているので、追い焚き装置３１の本体部３４と分けて管理することができる。つまり、昇温熱源機３３の点検等のために本体部３４まで開けずに済む。また、熱を持つ湯沸かし器４５と熱交換器３２を区分できるため、それぞれを熱損失が抑えられるように効率的にコンパクトにまとめることによって、エネルギーの効率化をはかることもできる。
【００４９】
さらに、追い焚き装置３１は、ヘアキャッチャー３８と、このヘアキャッチャー３８内の浴槽水１５の温度を測る温度計４１を備えているので、前述のように浴槽水１５の温度がムラなく正確に測れる。そしてこの温度計４１の測定結果に基づいて湯沸かし器４５と昇温用ポンプ４６を駆動制御するので、即応性良い適切な温度制御ができる。
【００５０】
図４に他の例に係る追い焚き装置３１の構成図を示す。この説明において、前述の構成と同一の部位ついては同一の符号を付してその詳しい説明を省略する。
【００５１】
図４の追い焚き装置３１は、本体部３４を区画する１個の筐体３５の中に昇温熱源機３３を備えた構成であるとともに、昇温のために熱交換器３２に供給される熱源がバーナー５１の燃焼による加熱空気を用いた例である。図４中、５２はファンモータである。
【００５２】
このような構成の追い焚き装置３１でも、前述と同様に様々な効果が得られる。
【００５３】
以上の構成のほか、昇温熱源機３３が湯沸かし器４５を用いたものであっても、昇温熱源機３３本体部３４の筐体３５内に収容することもできる。
【００５４】
また、温度計４１は、ヘアキャッチャー３８内の温度を測るほか、たとえば浴槽内など、他の部位の浴槽水１５の温度を測るものとしてもよい。
【符号の説明】
【００５５】
１５…浴槽水
３１…追い焚き装置
３２…熱交換器
３３…昇温熱源機
３４…本体部
３５…筐体
３８…ヘアキャッチャー
４１…温度計
４２…制御盤
４５…湯沸かし器
４６…昇温用ポンプ
【図１】
0003213072.tif 000003
【図２】
0003213072.tif 000004
【図３】
0003213072.tif 000005
【図４】
0003213072.tif 000006
【手続補正書】
【提出日】平成29年8月22日(2017.8.22)
【手続補正１】
【補正対象書類名】実用新案登録請求の範囲
【補正対象項目名】全文
【補正方法】変更
【補正の内容】
【実用新案登録請求の範囲】
【請求項１】
通過する浴槽水の温度を上げる熱交換器を備えた追い焚き装置であって、
当該追い焚き装置に、前記熱交換器に対して浴槽水昇温のための熱源を供給する昇温熱源機を一体化した
追い焚き装置。
【請求項２】
前記昇温熱源機の駆動制御で前記熱交換器における浴槽水の昇温を行う
請求項１に記載の追い焚き装置。
【請求項３】
前記昇温熱源機が、温水を沸かす湯沸かし器と、温水を前記熱交換器に循環させる昇温用ポンプを備え、
前記熱交換器に供給される熱源が温水であり、
前記湯沸かし器と前記昇温用ポンプの駆動制御で前記熱交換器における浴槽水の昇温を行う
請求項１に記載の追い焚き装置。
【請求項４】
浴槽水が通過するヘアキャッチャーと、
前記ヘアキャッチャー内の浴槽水の温度を測る温度計と、
前記温度計の測定結果に基づいて前記湯沸かし器と前記昇温用ポンプを駆動制御する制御部を備えた
請求項３に記載の追い焚き装置。
【請求項５】
前記昇温熱源機が、前記熱交換器を備える本体部の筐体における外面に結合された
請求項１から請求項４のうちいずれか一項に記載の追い焚き装置。